(57)【特許請求の範囲】
【請求項１】
デジタルカメラのレンズ鏡筒前面に装着して使用するフィルターにおいて、第一のフィルターレンズと第二のフィルターレンズの間に偏光板と１／４位相差板を配置し、前記第一のフィルターレンズは光の透過率を２０％以下にした減光レンズフィルターにて形成し、該第一のフィルターレンズと偏光板、並びに１／４位相差板と第二のフィルターレンズをそれぞれ接着剤層を介して七層構造に一体化したことを特徴とするデジタルカメラ用の特殊機能付き円偏光フィルター。
【請求項２】
デジタルカメラのレンズ鏡筒前面に装着して使用するフィルターにおいて、第一のフィルターレンズと第二のフィルターレンズの間に偏光板と１／４位相差板を配置し、前記第一のフィルターレンズは光の透過率を２０％以下にした黒色系の色ガラスにて形成し、該第一のフィルターレンズと偏光板、並びに１／４位相差板と第二のフィルターレンズをそれぞれ接着剤層を介して七層構造に一体化したことを特徴とするデジタルカメラ用の特殊機能付き円偏光フィルター。
【請求項３】
デジタルカメラのレンズ鏡筒前面に装着して使用するフィルターにおいて、第一のフィルターレンズと第二のフィルターレンズの間に偏光板と１／４位相差板を配置し、該第一のフィルターレンズと偏光板、並びに１／４位相差板と第二のフィルターレンズをそれぞれ接着剤層を介して七層構造に一体化して形成し、前記第一のフィルターレンズと偏光板の間を接着する接着剤層には黒色系の染料を混合して光の透過率を２０％以下に設定したことを特徴とするデジタルカメラ用の特殊機能付き円偏光フィルター。
【請求項４】
前記七層構造に一体化した特殊機能付き円偏光フィルターはデジタルカメラのレンズ鏡筒前面に着脱自在な二重枠タイプのフィルター枠内に装着され、該二重枠タイプのフィルター枠は特殊機能付き円偏光フィルターレンズを内蔵する前枠とデジタルカメラのレンズ鏡筒への装着用後枠からなり、前記特殊機能付き円偏光フィルターを内蔵する前枠はデジタルカメラのレンズ鏡筒前面に後枠を装着した後に前枠を回転させることにより前記円偏光フィルターの角度可変を可能にしたことを特徴とする請求項１乃至請求項３のいずれかに記載されたデジタルカメラ用の特殊機能付き円偏光フィルター。
【発明の詳細な説明】
【技術分野】
【０００１】
本発明は、デジタルカメラ用に開発された特殊機能付き円偏光フィルターに関するものである。
【０００２】
本発明は、デジタル一眼レフカメラを用いて、滝や渓谷での水の流れを絹糸のように表現したり、水面に浮かぶ落ち葉や花びらで渦巻きに表現したい、或いは風を表現するために木の葉をブラして取りたいなどの要望をかなえることのできる円偏光フィルター（サーキュラーＰＬフィルター）に関するものである。
【背景技術】
【０００３】
従来、デジタル一眼レフカメラを用いて、滝や渓谷での水の流れを絹糸のように表現したり、水面に浮かぶ落ち葉や花びらで渦巻きに表現したい、或いは風を表現するために木の葉をブラして取りたい場合には、デジタルカメラの鏡筒前面に円偏光フィルターとＮＤフィルター（減光フィルター）を二枚重ねて装着し、該円偏光フィルターにより水面や撮影対象物からの表面反射をさえぎりながら、二枚重ねたＮＤフィルターで昼間の明るいところでもシャッタースピードを数秒から数１０秒の低速にセットして独特の効果を表現していた。
【０００４】
然しながら上述した方法による滝や渓谷での水の流れ、水面に浮かぶ落ち葉や花びらなどの撮影を既存のフィルターを用いて撮影しようとすると、この撮影には、円偏光フィルターと例えばＮＤ４とＮＤ８クラスの２種類のＮＤフィルターが必要になり、該三枚合わせのフィルターによる撮影はフィルターを重ねたぶん光の透過率が余分に減少したり、フィルター枠が三枚分と厚くなることで、画面四方にケラレが生じるのであまり良い使用方法ではなく、更に撮影現場では、フィルターの三枚重ねの装着は煩雑で時間がかかり、シャッターチャンスを逃すことにもなる。
【０００５】
また、デジタル一眼レフカメラ用のフィルターをレンズ鏡筒前面に二枚重ねにして使用する方法に関しては、特開２００４−１３３１５５号（以下、特許文献１と称する）にて、次のような使用方法と見解が開示されている。
【０００６】
即ち、特許文献１の段落番号０００２〜０００３には、従来より偏光フィルターと希土類含有ガラスを用いたカラー強調用フィルターはそれぞれ個別に在存しており、該二つのフィルターの効果を同時に欲しい場合には偏光フィルターとカラー強調用フィルターを二枚重ねて撮影に使用していた。然しながら、フィルターの二枚重ねは、フィルターを重ねたぶん光の透過率が減少することや、広角レンズに使用した場合フィルター枠が厚くなることで、画面四方にケラレが生じることもあり、あまり一般的な使用方法ではなかった。また、撮影現場では、フィルターの二枚重ねは煩雑で時間がかかり、シャッターチャンスを逃すことにもなると、記載されているようにフィルターの二枚、または三枚重ねの使用方法はいろいろな欠点を有している特殊撮影方法であることがわかる。
【先行技術文献】
【特許文献】
【０００７】
特許文献１  特開２００４−１３３１５５号公報
【発明の概要】
【発明が解決しようとする課題】
【０００８】
本発明が解決しようとする課題は、デジタル一眼レフカメラを用いて、滝や渓谷での水の流れを絹糸のように表現したり、水面に浮かぶ落ち葉や花びらで渦巻きに表現したい、或いは風を表現するために木の葉をブラして取りたいなどの要望をかなえることのできる円偏光フィルター（サーキュラーＰＬフィルター）に関するものであり、本発明における特殊機能付き円偏光フィルターは、従来の三枚合わせのフィルターによる滝や渓谷での水の流れ、水面に浮かぶ落ち葉や花びらなどの撮影上の不都合さや欠点を解消するものである。
【課題を解決するための手段】
【０００９】
本発明は、デジタルカメラのレンズ鏡筒前面に装着して使用するフィルターにおいて、第一のフィルターレンズと第二のフィルターレンズの間に偏光板と１／４位相差板を配置し、前記第一のフィルターレンズは光の透過率を２０％以下にした減光フィルターレンズにて形成し、該第一のフィルターレンズと偏光板、並びに１／４位相差板と第二のフィルターレンズをそれぞれ接着剤層を介して七層構造に一体化したデジタルカメラ用の特殊機能付き円偏光フィルターを提供するものである。
【００１０】
また、本発明は、デジタルカメラのレンズ鏡筒前面に装着して使用するフィルターにおいて、第一のフィルターレンズと第二のフィルターレンズの間に偏光板と１／４位相差板を配置し、前記第一のフィルターレンズは光の透過率を２０％以下にした黒色系の色ガラスにて形成し、該第一のフィルターレンズと偏光板、並びに１／４位相差板と第二のフィルターレンズをそれぞれ接着剤層を介して七層構造に一体化したデジタルカメラ用の特殊機能付き円偏光フィルターを提供するものである。
【００１１】
更に、本発明は、デジタルカメラのレンズ鏡筒前面に装着して使用するフィルターにおいて、第一のフィルターレンズと第二のフィルターレンズの間に偏光板と１／４位相差板を配置し、該第一のフィルターレンズと偏光板、並びに１／４位相差板と第二のフィルターレンズをそれぞれ接着剤層を介して七層構造に一体化して形成し、前記第一のフィルターレンズと偏光フイルムの間を接着する接着剤には黒色系の染料を混合して光の透過率を２０％以下に設定したデジタルカメラ用の特殊機能付き円偏光フィルターを提供するものである。
【００１２】
そして、本発明における七層構造に一体化した特殊機能付き円偏光フィルターは、デジタルカメラのレンズ鏡筒前面に着脱自在な二重枠タイプのフィルター枠内に装着され、該二重枠タイプのフィルター枠は特殊機能付き円偏光フィルターレンズを内蔵する前枠とデジタルカメラのレンズ鏡筒への装着用後枠からなり、前記特殊機能付き円偏光フィルターを内蔵する前枠はデジタルカメラのレンズ鏡筒前面に後枠を装着した後に前枠を回転させることにより前記円偏光フィルターの角度可変を可能にした構成を有している。
【発明の効果】
【００１３】
斯くして、本発明は、デジタル一眼レフカメラを用いて、滝や渓谷での水の流れを絹糸のように表現したり、水面に浮かぶ落ち葉や花びらで渦巻きに表現したい、或いは風を表現するために木の葉をブラして取りたいなどの要望をかなえることのできる円偏光フィルター（サーキュラーＰＬフィルター）を提供可能にするものであり、本発明における特殊機能付き円偏光フィルターは、従来のフィルター三枚合わせの手法による滝や渓谷での水の流れ、水面に浮かぶ落ち葉や花びらなどの撮影に際しての不都合を解消するものである。
【００１４】
そして、本発明は、既成のＮＤフィルターを重ねることにより光の透過率が過分に減少してその時の状況に合わない透過率を作り出してしまう欠点を解消でき、また、本発明は、専用の特殊機能付きフィルターレンズを製作して１枚のフィルター枠に内蔵することにより従来装置の如くフィルター枠が三枚分と厚くなることを防止して画面四方にケラレが生じる欠点を解消できるものである。
【００１５】
更にまた、滝や渓谷など水辺での撮影現場では、特に撮影対象物の現況が一刻一刻変化するため、フィルターの三枚重ねなどの撮影準備は煩雑で時間がかかり、シャッターチャンスを逃すことになりがちであるが、本発明では、このような不都合をも解消できるものである。
【図面の簡単な説明】
【００１６】
【図１】（Ａ）本発明の実施例１を説明する部材配列図である。         （Ｂ）本発明の実施例１を説明する要部断面図である。
【図２】（Ａ）本発明の実施例２を説明する部材配列図である。         （Ｂ）本発明の実施例２を説明する要部断面図である。
【図３】（Ａ）本発明の実施例３を説明する部材配列図である。         （Ｂ）本発明の実施例３を説明する要部断面図である。
【図４】（Ａ）本発明に使用されるフィルターレンズ装着用枠の組み立て部品図である。         （Ｂ）図４（Ａ）の要部拡大断面図である。
【発明を実施するための形態】
【００１７】
本発明は、デジタル一眼レフカメラを用いて、滝や渓谷での水の流れを絹糸のように表現したり、水面に浮かぶ落ち葉や花びらで渦巻きに表現したい、或いは風を表現するために木の葉をブラして取りたいなどの要望をかなえることのできる円偏光フィルター（サーキュラーＰＬフィルター）に関するものである。
【００１８】
従来、デジタル一眼レフカメラを用いて、滝や渓谷での水の流れを絹糸のように表現したり、水面に浮かぶ落ち葉や花びらで渦巻きに表現したい、或いは風を表現するために木の葉をブラして取りたい場合には、デジタルカメラの鏡筒前面に円偏光フィルターとＮＤフィルターを二枚重ねて装着し、該円偏光フィルターにより水面や撮影対象物からの表面反射をさえぎりながら、二枚重ねたＮＤフィルターで昼間の明るいところでもシャッタースピードを数秒から数１０秒の低速にセットして独特の効果を表現していた。
【００１９】
然しながら上述した方法により滝や渓谷での水の流れ、水面に浮かぶ落ち葉や花びらなどの撮影を既存のフィルターを用いて撮影しようとすると、この撮影には、円偏光フィルターと例えばＮＤ４とＮＤ８クラスの２種類のＮＤフィルターが必要になり、該三枚合わせのフィルターによる撮影はフィルターを重ねたぶん光の透過率が過分に減少したり、フィルター枠が三枚分と厚くなることで、画面四方にケラレが生じるのであまり良い使用方法ではなく、更に撮影現場では、フィルターの三枚重ねの装着は煩雑で時間がかかり、シャッターチャンスを逃すことにもなる。
【００２０】
斯くして、本発明は、デジタル一眼レフカメラを用いて、滝や渓谷での水の流れを絹糸のように表現したり、水面に浮かぶ落ち葉や花びらで渦巻きに表現したい、或いは風を表現するために木の葉をブラして取りたいなどの要望をかなえることのできる円偏光フィルター（サーキュラーＰＬフィルター）に関するものであり、本発明における前記の特殊機能付き円偏光フィルターは、従来の三枚合わせのフィルターによる滝や渓谷での水の流れ、水面に浮かぶ落ち葉や花びらなどの撮影上の不都合さや欠点を解消するものである。
【００２１】
本発明は、デジタルカメラのレンズ鏡筒前面に装着して使用するフィルターにおいて、第一のフィルターレンズと第二のフィルターレンズの間に偏光板と１／４位相差板を配置し、前記第一のフィルターレンズは光の透過率を２０％以下にした減光フィルターレンズにて形成し、該第一のフィルターレンズと偏光板、並びに１／４位相差板と第二のフィルターレンズをそれぞれ接着剤層を介して七層構造に一体化した円偏光フィルターであることが好ましい。
【００２２】
また、本発明は、デジタルカメラのレンズ鏡筒前面に装着して使用するフィルターにおいて、第一のフィルターレンズと第二のフィルターレンズの間に偏光板と１／４位相差板を配置し、前記第一のフィルターレンズは光の透過率を２０％以下にした黒色系の色ガラスにて形成し、該第一のフィルターレンズと偏光板、並びに１／４位相差板と第二のフィルターレンズをそれぞれ接着剤層を介して七層構造に一体化した円偏光フィルターであることが好ましい。
【００２３】
更に、本発明は、デジタルカメラのレンズ鏡筒前面に装着して使用するフィルターにおいて、第一のフィルターレンズと第二のフィルターレンズの間に偏光板と１／４位相差板を配置し、該第一のフィルターレンズと偏光板、並びに１／４位相差板と第二のフィルターレンズをそれぞれ接着剤層を介して七層構造に一体化して形成し、前記第一のフィルターレンズと偏光フイルムの間を接着する接着剤層には黒色系の染料を混合して光の透過率を２０％以下に設定した円偏光フィルターであることが好ましい。
【００２４】
そして、本発明における七層構造に一体化した特殊機能付き円偏光フィルターは、デジタルカメラのレンズ鏡筒前面に着脱自在な二重枠タイプのフィルター枠内に装着されるもので、該二重枠タイプのフィルター枠は特殊機能付き円偏光フィルターレンズを内蔵する前枠とデジタルカメラのレンズ鏡筒への装着用後枠からなり、前記特殊機能付き円偏光フィルターを内蔵する前枠はデジタルカメラのレンズ鏡筒前面に後枠を装着、固定した後、前枠を回転させることにより前記円偏光フィルターの角度可変を可能にした構成を有している。
【００２５】
而して、本発明は、デジタル一眼レフカメラを用いて、滝や渓谷での水の流れを絹糸のように表現したり、水面に浮かぶ落ち葉や花びらで渦巻きに表現したい、或いは風を表現するために木の葉をブラして取りたいなどの要望をかなえることのできる円偏光フィルター（サーキュラーＰＬフィルター）を提供可能にするものであり、本発明における特殊機能付き円偏光フィルターは、従来のフィルター三枚合わせの手法による滝や渓谷での水の流れ、水面に浮かぶ落ち葉や花びらなどの撮影に際しての不都合を解消するものである。
【００２６】
そして、本発明は、既成のＮＤフィルターを重ねることにより光の透過率が過分に減少してその時の状況に合わない透過率を作り出してしまう欠点を解消でき、また、本発明は、専用の特殊機能付きフィルターレンズを一枚製作して、該一枚のフィルター枠に内蔵することにより従来装置の如くフィルター枠が三枚分と厚くなることを防止して画面四方にケラレが生じる欠点を解消できるものである。
【００２７】
更にまた、滝や渓谷など水辺での撮影現場では、特に撮影対象物の現況が一刻一刻変化するため、フィルターの三枚重ねなどの撮影準備は煩雑で時間がかかり、シャッターチャンスを逃すことになりがちであるが、本発明はこのような不都合をも解消できるものである。
【実施例１】
【００２８】
図１において、図１（Ａ）は本発明の実施例１を説明する部材の配列図、図１（Ｂ）は本発明の実施例１を説明する断面図である。図１（Ａ）、（Ｂ）において、１は第一のフィルターレンズ、２は第二のフィルターレンズであり、該第一のフィルターレンズ１と第二のフィルターレンズ２間には偏光板３と１／４位相差板４が配置され、該第一のフィルターレンズ１と偏光版３の間には接着剤層５が配置され、偏光版３と１／４位相差板４の間には接着剤層６が配置され、また、１／４位相差板４と第二のフィルターレンズ二の間には接着剤層７が配置されており、前記、第一のフィルターレンズ１、偏光板３、１／４位相差板４、並びに第二のフィルターレンズ２は図１（Ｂ）の如く前記接着剤層５、６、７により互いに接着されて七層構造に一体化されている。
【００２９】
尚、図１（Ａ）、（Ｂ）において、Ｃは特殊機能付き円偏光フィルターレンズ８の光軸、９は被写体側、１０はカメラレンズ鏡筒側を示しており、また、偏光板３と１／４位相差板４はその素材及び厚さからして、デリケートなもので、偏光板３と１／４位相差板４の間を接着剤層６を介して一体化されて製造現場に供給される場合もある。
【００３０】
斯くして、実施例１においては、前記第一のフィルターレンズ１の表面または裏面にスパッタリングなどの手法で金属材料（フッ化マグネシウムや酸化チタンの混合物）を溶着して、該第一のフィルターレンズ１の光の透過率を２０％以下にした、所謂、減光フィルターレンズ１１とするものである。
【００３１】
そして、実施例１の構成は、デジタルカメラのレンズ鏡筒前面（図示せず）に装着して使用するフィルターにおいて、第一のフィルターレンズ１と第二のフィルターレンズ２の間に偏光板３と１／４位相差板４を配置し、前記第一のフィルターレンズ１は光の透過率を２０％以下にした減光フィルターレンズ１１にて形成し、該第一のフィルターレンズ１（減光フィルターレンズ１１に構成されている）と偏光板３、並びに１／４位相差板４と第二のフィルターレンズ２をそれぞれ接着剤層５、６、７を介して七層構造に一体化したデジタルカメラ用の特殊機能付き円偏光フィルターレンズ８を提供するものである。
【００３２】
斯くして、図４（Ａ）、（Ｂ）は、上述した実施例１におけるデジタルカメラ用の特殊機能付き円偏光フィルターレンズ８をデジタル一眼レフカメラのレンズ鏡筒前面に回転着脱自在に取り付けるための具体例を示すものであり、図４（Ａ）は、フィルターレンズ用装着枠を説明する組み立て部品図、図４（Ｂ）は、フィルターレンズ用装着枠を説明する要部拡大断面図である。
【００３３】
図４（Ａ）、（Ｂ）において、Ｃはフィルターレンズの光軸、８は特殊機能付き円偏光フィルターレンズ、１２は前枠、１３は回転部ワッシャー、１４は後枠で、前記前枠１２の前面には、他のアタッチメント装着用の雌ネジ１５、フィルターレンズ嵌合部１６、並びに回転部ワッシャー１３の嵌合溝１７ａが刻設されており、また後枠１４には同様に前記回転部ワッシャー１３を介して前枠１２を後枠１４に対して回転可能に装着できる嵌合溝１７ｂが刻設されている。
【００３４】
尚、１８は組み立てられたフィルターレンズ用装着枠を示し、１９はカメラレンズ鏡筒の前面にフィルターレンズ用装着枠１８を着脱自在に取付けるための雄ネジであり、実施例１の特殊機能付き円偏光フィルターレンズ８は前記フィルターレンズ嵌合部１６に嵌合されその背面でカシメられて前枠１２に嵌着されている。また、フィルターレンズ用装着枠１８は後枠１４をカメラレンズの鏡筒前面に螺着した場合、特殊機能付き円偏光フィルターレンズ８を嵌着した前枠１２がフィルターレンズの光軸Ｃを中心に回転可能で、前記円偏光フィルターレンズ８に内蔵された偏光板３の角度を自由に変えることにより被写体からの反射光を取り除く作用をするものである。
【実施例２】
【００３５】
図２において、図２（Ａ）は本発明の実施例２を説明する部材の配列図、図２（Ｂ）は本発明の実施例２を説明する断面図である。図２（Ａ）、（Ｂ）において、１は第一のフィルターレンズ、２は第二のフィルターレンズであり、該第一のフィルターレンズ１と第二のフィルターレンズ２間には偏光板３と１／４位相差板４が配置され、該第一のフィルターレンズ１と偏光版３の間には接着剤層５が配置され、偏光版３と１／４位相差板４の間には接着剤層６が配置され、また、１／４位相差板４と第二のフィルターレンズ二の間には接着剤層７が配置されており、前記、第一のフィルターレンズ１、偏光板３、１／４位相差板４、並びに第二のフィルターレンズ２は図２（Ｂ）の如く前記接着剤層５、６、７により互いに接着されて七層構造に一体化されている。
【００３６】
尚、図２（Ａ）、（Ｂ）において、Ｃは特殊機能付き円偏光フィルターレンズ８の光軸、９は被写体側、１０はカメラレンズ鏡筒側を示しており、また、偏光板３と１／４位相差板４はその素材及び厚さからして、デリケートなもので、偏光板３と１／４位相差板４の間を接着剤層６を介して一体化されて製造現場に供給される場合もある。
【００３７】
斯くして、実施例２においては、前記第一のフィルターレンズ１は黒色系の色ガラスを用いて製作され、該第一のフィルターレンズ１は光の透過率を２０％以下にした、所謂、黒色系減光レンズフィルター２０にて形成するものである。
【００３８】
そして、実施例２の構成は、デジタルカメラのレンズ鏡筒前面（図示せず）に装着して使用するフィルターにおいて、第一のフィルターレンズ１と第二のフィルターレンズ２の間に偏光板３と１／４位相差板４を配置し、前記第一のフィルターレンズ１は光の透過率を２０％以下にした黒色系の色ガラスにて黒色系減光レンズフィルター２０を形成し、該黒色系減光レンズフィルター２０からなる第一のフィルターレンズ１と偏光板３、並びに１／４位相差板４と第二のフィルターレンズ２をそれぞれ接着剤層５、６、７を介して七層構造に一体化したデジタルカメラ用の特殊機能付き円偏光フィルターを提供するものである。
【００３９】
斯くして、図４（Ａ）、（Ｂ）は、上述した実施例２におけるデジタルカメラ用の特殊機能付き円偏光フィルターレンズ８をデジタル一眼レフカメラのレンズ鏡筒前面に回転着脱自在に取り付けるための具体例を示すものであり、図４（Ａ）は、フィルターレンズ用装着枠を説明する組み立て部品図、図４（Ｂ）は、フィルターレンズ用装着枠を説明する要部拡大断面図である。
【００４０】
図４（Ａ）、（Ｂ）において、Ｃはフィルターレンズの光軸、８は特殊機能付き円偏光フィルターレンズ、１２は前枠、１３は回転部ワッシャー、１４は後枠で、前記前枠１２の前面には、他のアタッチメント装着用の雌ネジ１５、フィルターレンズ嵌合部１６、並びに回転部ワッシャー１３の嵌合溝１７ａが刻設されており、また後枠１４には同様に前記回転部ワッシャー１３を介して前枠１２を後枠１４に対して回転可能に装着できる嵌合溝１７ｂが刻設されている。
【００４１】
尚、１８は組み立てられたフィルターレンズ用装着枠を示し、１９はカメラレンズ鏡筒の前面にフィルターレンズ用装着枠１８を着脱自在に取付けるための雄ネジであり、実施例１の特殊機能付き円偏光フィルターレンズ８は前記フィルターレンズ嵌合部１６に嵌合されその背面でカシメられて前枠１２に嵌着されている。また、フィルターレンズ用装着枠１８は後枠１４をカメラレンズの鏡筒前面に螺着した場合、特殊機能付き円偏光フィルターレンズ８を嵌着した前枠１２がフィルターレンズの光軸Ｃを中心に回転可能で、前記円偏光フィルターレンズ８に内蔵された偏光板３の角度を自由に変えることにより被写体からの反射光を取り除く作用をするものである。
【実施例３】
【００４２】
図３において、図３（Ａ）は本発明の実施例３を説明する部材の配列図、図３（Ｂ）は本発明の実施例３を説明する断面図である。図３（Ａ）、（Ｂ）において、１は第一のフィルターレンズ、２は第二のフィルターレンズであり、該第一のフィルターレンズ１と第二のフィルターレンズ２間には偏光板３と１／４位相差板４が配置され、該第一のフィルターレンズ１と偏光版３の間には接着剤層５が配置され、偏光版３と１／４位相差板４の間には接着剤層６が配置され、また、１／４位相差板４と第二のフィルターレンズ二の間には接着剤層７が配置されており、前記、第一のフィルターレンズ１、偏光板３、１／４位相差板４、並びに第二のフィルターレンズ２は図３（Ｂ）の如く前記接着剤層５、６、７により互いに接着されて七層構造に一体化されている。
【００４３】
尚、図３（Ａ）、（Ｂ）において、Ｃは機能付き円偏光フィルターレンズ８の光軸、９は被写体側、１０はカメラレンズ鏡筒側を示しており、また、偏光板３と１／４位相差板４はその素材及び厚さからして、デリケートなもので、偏光板３と１／４位相差板４の間を接着剤層６を介して一体化されて製造現場に供給される場合もある。
【００４４】
斯くして、実施例３においては、前記第一のフィルターレンズ１と偏光板３の間に設けられる接着剤層５は、接着剤に黒色の染料を混合して光の透過率２０％以下に製作しており、所謂、減光用接着剤層２１を形成するものである。減光用接着剤層２１は、実施例３において前記接着剤層５に実施する例をのべたが、本発明においては前記接着剤層５、６、７のいずれかに実施しても良く、また、接着剤層５、６、７は薄膜形状に形成されることから、接着剤層５、６、７の全ての接着剤層を減光用接着剤層２１となし、該減光用接着剤層２１の重ね合わせにて光の透過率が２０％以下に設定できるように構成しても良い。
【００４５】
そして、本発明の構成は、デジタルカメラのレンズ鏡筒前面に装着して使用するフィルターにおいて、第一のフィルターレンズ１と第二のフィルターレンズ２の間に偏光板３と１／４位相差板４を配置し、該第一のフィルターレンズ１と偏光板３、並びに１／４位相差板４と第二のフィルターレンズ２をそれぞれ接着剤層５、６、７を介して七層構造に一体化して形成し、前記第一のフィルターレンズ１と偏光板３の間を接着する接着剤層５には、例えば、みや古染染料のコールダイオールなど黒色系の染料を混合して光の透過率を２０％以下に設定した減光用接着剤層２１を用いるデジタルカメラ用の特殊機能付き円偏光フィルターを提供するものである。
【００４６】
斯くして、図４（Ａ）、（Ｂ）は、上述した実施例１におけるデジタルカメラ用の特殊機能付き円偏光フィルターレンズ８をデジタル一眼レフカメラのレンズ鏡筒前面に回転着脱自在に取り付けるための具体例を示すものであり、図４（Ａ）は、フィルターレンズ用装着枠を説明する組み立て部品図、図４（Ｂ）は、フィルターレンズ用装着枠を説明する要部拡大断面図である。
【００４７】
図４（Ａ）、（Ｂ）において、Ｃはフィルターレンズの光軸、８は特殊機能付き円偏光フィルターレンズ、９は前枠、１０は回転部ワッシャー、１１は後枠で、前記前枠９の前面には、他のアタッチメント装着用の雌ネジ１２、フィルターレンズ嵌合部１３、並びに回転部ワッシャー１０の嵌合溝１４ａが刻設されており、また後枠１１には同様に前記回転部ワッシャー１０を介して前枠９を後枠１１に対して回転可能に装着できる嵌合溝１４ｂが刻設されている。
【００４８】
尚、１５は組み立てされたフィルターレンズ用装着枠を示し、１６はカメラレンズ鏡筒の前面にフィルターレンズ用装着枠１７を着脱自在に取付けるための雄ネジであり、実施例１の円偏光フィルターレンズ８は前記フィルターレンズ嵌合部１６に嵌合されその背面でカシメられて前枠１２に嵌着されている。また、フィルターレンズ用装着枠１８は後枠１４をカメラレンズの鏡筒前面に螺着した場合、特殊機能付き円偏光フィルターレンズ８を嵌着した前枠１２がフィルターレンズの光軸Ｃを中心に回転可能で、前記円偏光フィルターレンズ８に内蔵された偏光板３の角度を自由に変えることにより被写体からの反射光を取り除く作用をするものである。
【００４９】
而して、本発明における実施例１乃至３は、デジタル一眼レフカメラを用いて、滝や渓谷での水の流れを絹糸のように表現したり、水面に浮かぶ落ち葉や花びらで渦巻きに表現したい、或いは風を表現するために木の葉をブラして取りたいなどの要望をかなえることのできる円偏光フィルター（サーキュラーＰＬフィルター）を提供可能にするものであり、本発明における特殊機能付き円偏光フィルターは、従来のフィルター三枚合わせの手法による滝や渓谷での水の流れ、水面に浮かぶ落ち葉や花びらなどの撮影に際しての不都合を解消するものである。
【００５０】
そして、本発明は、既成のＮＤフィルターを重ねることにより光の透過率が過分に減少してその時の状況に合わない透過率を作り出してしまう従来の欠点を解消でき、また、専用の特殊機能付きフィルターレンズを製作して１枚のフィルター枠に内蔵することにより従来装置の如くフィルター枠が三枚分と厚くなることを防止して画面四方にケラレが生じる欠点を解消できるものである。
【００５１】
更にまた、滝や渓谷など水辺での撮影現場では、特に撮影対象物の現況が一刻一刻変化するため、フィルターの三枚重ねなどの撮影準備には煩雑で時間がかかり、シャッターチャンスを逃すことになりがちであるが、本発明は、このような不都合をも解消できるものである。
【符号の説明】
【００５２】
１  第一のフィルターレンズ
２  第二のフィルターレンズ
３  偏光板
４  １／４位相差板
５  接着剤層
６  接着剤層
７、接着剤層
８  特殊機能付き円偏光フィルターレンズ
９  被写体側
１０  カメラレンズ鏡筒側
１１  減光フィルターレンズ
１２  前枠
１３  回転部ワッシャー
１４  後枠
１５  雌ネジ
１６  嵌合枠
１７ａ、１７ｂ  嵌合溝
１８  フィルターレンズ用装着枠
１９  雄ネジ
２０  黒色系減光フィルターレンズ
２１  減光用接着剤層
Ｃ  光軸
【要約】
【課題】滝や渓谷での水の流れを絹糸のように表現したり、水面に浮かぶ落ち葉や花びらで渦巻きに表現したいなどの要望をかなえることのできる円偏光フィルターを提供する。
【解決方法】第一のフィルターレンズと第二のフィルターレンズの間に偏光板と１／４位相差板を配置し、該第一のフィルターレンズの光の透過率を２０％以下にした減光レンズフィルターにて形成する。
【選択図】図１【図１】
0005205503.tif 000002
【図２】
0005205503.tif 000003
【図３】
0005205503.tif 000004
【図４】
0005205503.tif 000005